(57)【要約】【課題】  中地震程度の弱震動や微震動に対しては建物を静止させるとともに、大地震時には免震装置を効果的に作動させることができる免震構造物を提供することである。【解決手段】  免震構造物１は、基礎２における上部躯体３の柱が位置する箇所に設置された免震装置４により上部躯体３が支持され、該上部躯体３と基礎２との間には免震ダンパ５が設置され、該免震ダンパ５は交換破砕体１０と、該交換破砕体１０の上下に波形状の凹凸部１１で嵌合された固定体１２とから構成され、該固定体１２が基礎側に設置した下部固定体１３と、上部躯体３側に設置した上部固定体１４とからなるものである。【選択図】図１
2006241779.tif 000002
【特許請求の範囲】
【請求項１】
基礎における上部躯体の柱が位置する箇所に設置された免震装置により上部躯体が支持され、該上部躯体と基礎との間には免震ダンパが設置され、該免震ダンパは上部躯体に設置された突起体と、該突起体が挿入凹部に挿入されかつ基礎側に設置された受容体とから構成され、前記挿入凹部は突起体が任意の方向に移動自在な大きさで、かつ緩衝材が充填されたことを特徴とする免震構造物。
【請求項２】
突起体の下面には凹溝が形成されたことを特徴とする請求項１に記載の免震構造物。
【請求項３】
緩衝材は細粒体、粘弾性体または発泡体のいずれかであることを特徴とする請求項１または２に記載の免震構造物。
【発明の詳細な説明】
【技術分野】
【０００１】
本願発明は免震構造物に関するものである。
【背景技術】
【０００２】
従来の免震構造物２１は、図５に示すように、基礎２２における上部躯体２３の柱が位置する箇所に設置された免震装置２４で上部躯体２３を支持し、該上部躯体２３と基礎２２との間に免震ダンパ２５が設置されて構成されていた。またその他の免震構造物としては、例えば特開２００２−１１５４２０号の発明が知られている。
【０００３】
【特許文献１】特開２００２−１１５４２０号公報
【発明の開示】
【発明が解決しようとする課題】
【０００４】
しかし、上記の免震構造物は中程度の地震が発生した場合でも揺れてしまい、中地震程度の弱震動や微震動に対して建物を静止状態に保持することが困難であった。
【０００５】
本願発明はこれらの問題に鑑みてなされたものであり、その目的は、中地震程度の弱震動や微震動に対しては建物を静止させるとともに、大地震時には免震装置を効果的に作動させることができる免震構造物を提供することである。
【課題を解決するための手段】
【０００６】
以上の課題を解決するための免震構造物は、基礎における上部躯体の柱が位置する箇所に設置された免震装置により上部躯体が支持され、該上部躯体と基礎との間には免震ダンパが設置され、該免震ダンパは上部躯体に設置された突起体と、該突起体が挿入凹部に挿入されかつ基礎側に設置された受容体とから構成され、前記挿入凹部は突起体が任意の方向に移動自在な大きさで、かつ緩衝材が充填されたことを特徴とする。また突起体の下面には凹溝が形成されたことを含む。また緩衝材は細粒体、粘弾性体または発泡体のいずれかであることを含むものである。
【発明の効果】
【０００７】
大地震に対しては免震装置が作動するのに対して、例えば震度５以下の中小地震に対しては免震ダンパによって建物の横揺れ周期が長時間にわたって起こる現象を防ぐことができる。また免震ダンパの充填材でエネルギーを吸収して制振ダンパーと同様の機能を保持することができるので、微弱な震動や風荷重による建物の揺れによる影響を排除することができる。また中小の地震の揺れは免震ダンパの充填材でエネルギーを吸収する一方、大地震による大震動は免震装置が作用して吸収することにより効果的な免震を行うことができる。また突起体が受容体の周壁に当たることにより、該周壁がストッパの役割を果たして建物の揺れを防ぐことができる。
【発明を実施するための最良の形態】
【０００８】
以下、本願発明の免震構造物の実施の形態を図面に基づいて説明する。この免震構造物１は、図１および図２に示すように、基礎２における上部躯体３の柱の位置する箇所に免震装置４が設置され、該免震装置４によって上部躯体３が支持されるとともに、該上部躯体３と基礎２との間には免震ダンパ５が設置されて構成されている。
【０００９】
この免震装置４は、例えば積層ゴム６と鋼板７とからなり、この積層ゴム６が基礎２と上部躯体３との間の水平方向の相対変位で弾性変形することによって、水平方向の地震力を緩和して上部躯体３の揺れの周期を大きくし、地震などによって基礎２から上部躯体３に伝播しようとする震動を緩和して、上部躯体３に生じる応力や変形を小さく抑えるものである。したがって、この免震装置４は、例えば震度５以上の大地震の震動を吸収するものであり、中小の地震の揺れは免震ダンパ５で対応するものである。
【００１０】
この免震ダンパ５は、図１に示すように、免震装置４が設置された柱を繋ぐ大梁８と基礎梁９との間に設置されて、Ｘ方向およびＹ方向の横揺れに対応している。この免震ダンパ５は上部躯体３に設置された突起体１０と、該突起体１０が挿入凹部１３に挿入され、かつ基礎側に設置された受容体１１とから構成されている。
【００１１】
この受容体１１は、４つの組立ユニット１２により平面円形に形成され、突起体１０が任意の方向に移動自在な大きさの挿入凹部１３を形成し、該挿入凹部１３には緩衝材１４が充填されている。この緩衝材１４は砂などの細粒体や、粘弾性体または発泡体のいずれかであり、建物の規模や地盤の性状などによってその種類が決定される。この緩衝材１４内に挿入された突起体１０の下面には凹溝１５が形成され、この凹溝１５にも緩衝材１４が充填されるため、地震などによる水平方向の震動を効果的に減衰することができる。
【００１２】
上記の組立ユニット１２は、円盤を４分割した底板１６と、この周囲に形成された周壁１７とから構成され、周壁１７の両側には周壁用接合鍔片１８が、下側には底板用接合鍔片１９とがそれぞれ形成されている。したがって、これらを組み合わせて周壁用接合鍔片１８同士をボルト２０で接合するとともに、底板用接合鍔片１９を基礎梁９にボルト２０で接合することにより、図３に示すような受容体１１が完成する。
【００１３】
この免震ダンパ５は、上部躯体３側に設置した突起体１０と、基礎２側に設置した受容体１１との組み合わせで構成されているため、建物を構築した後にも取り付けられる。はじめに、突起体１０を上部躯体３の大梁８にボルト２０で取り付けた後、この下の基礎梁９に、突起体１０が挿入凹部１３に挿入されるように４つの組立ユニット１２を組み立てて受容体１１を形成した後、挿入凹部１３内に緩衝材１４を充填すると免震ダンパ５が完成する。このように免震ダンパ５は、現場において自由に組み立て形成することができるため、例えば大地震によって受容体１１が破壊された場合にも、簡単に取りかえることができる。
【図面の簡単な説明】
【００１４】
【図１】免震構造物の平面図である。
【図２】免震構造物の断面図である。
【図３】免震ダンパの斜視図である。
【図４】免震ダンパの分解斜視図である。
【図５】従来の免震構造を示し、（１）は平面図、（２）は同断面図である。
【符号の説明】
【００１５】
１、２１  免震構造物
２、２２  基礎
３、２３  上部躯体
４、２４  免震装置
５、２５  免震ダンパ
６  積層ゴム
７  鋼板
８  大梁
９  基礎梁
１０  突起体
１１  受容体
１２  組立ユニット
１３  挿入凹部
１４  緩衝材
１５  凹溝
１６  底板
１７  周壁
１８  周壁用接合鍔片
１９  底板用接合鍔片
２０  ボルト
【図１】
2006241779.tif 000003
【図２】
2006241779.tif 000004
【図３】
2006241779.tif 000005
【図４】
2006241779.tif 000006
【図５】
2006241779.tif 000007